(57)【要約】【課題】浸入しようとする水の多寡に応じて、止水する高さを簡易に変更できる止水装置を提供する。【解決手段】出入口の両側に設けられる一対の止水扉支持部と、一端側が一方の止水扉支持部に設けられた支軸を中心に回動可能に支持されるとともに、他端側が他方の止水扉支持部に係止することによって、出入口を止水する各々独立した上下多段の止水扉と、を備えた止水装置である。この止水装置では、一方の止水扉支持部は、上下多段の止水扉の各々を下方から支持する支持部を有する。【選択図】図１
2014047502.tif 000002
【特許請求の範囲】
【請求項１】
出入口の両側に設けられる一対の止水扉支持部と、
一端側が一方の前記止水扉支持部に設けられた支軸を中心に回動可能に支持されるとともに、他端側が他方の前記止水扉支持部に係止することによって、前記出入口を止水する各々独立した上下多段の止水扉と、を備え、
前記一方の止水扉支持部は、
前記上下多段の止水扉の各々を下方から支持する支持部であって、各止水扉が前記出入口を止水する位置に配置された場合に、当該一方の止水扉支持部に沿った位置に配置された場合に比べて低い高さで支持する支持部を有し、
前記上下多段の止水扉の各々は、
前記出入口を止水する位置に配置された場合に、前記一方の止水扉支持部に沿った位置に配置された場合に比べて下方に移動し、前記出入口の床面又は当該止水扉よりも一段下の止水扉と当接することによって、当該止水扉と、前記出入口の床面又は前記一段下の止水扉との間を止水することを特徴とする止水装置。
【請求項２】
前記止水装置は、前記出入口の両側間床面に設置され、最下段の前記止水扉と係合する係合部が形成された床面部を有し、
前記上下多段の止水扉の各々には、隣り合う止水扉又は床面と係合する係合部が形成されたことを特徴とする請求項１に記載の止水装置。
【請求項３】
前記上下多段の止水扉の各々は、ヒンジを介して折畳可能に連結された２枚の止水板からなり、前記２枚の止水板が前記出入口の外側へ向けて略ハの字状に突出して開かれた状態で、他端側が前記他方の止水扉支持部に係止することによって、前記出入口を止水することを特徴とする請求項１に記載の止水装置。
【請求項４】
前記上下多段の止水扉の各々は、前記他方の止水扉支持部への係止面、隣り合う止水扉への当接面、当該止水扉を構成する２枚の止水板の当接する面、及び、当該止水扉が最下段の止水扉である場合には前記床面との当接面に止水パッキングを貼着したことを特徴とする請求項３に記載の止水装置。
【請求項５】
前記上下多段の止水扉の各々の一側端縁寄りの後向き面にＬ形腕を突設し、
該腕の後端ボス部を前記支軸に回動自在及び昇降自在に枢支して、
該上下多段の止水扉がそれぞれ独立して前記支軸を中心に開閉自在とし、
前記出入口を閉じた最下段の止水扉の一側端縁の後向き面が前記止水扉支持部の前向き面に対面し、かつ、前記出入口の他側に、前記最下段の止水扉の他側端縁の後向き面に対面する開閉自在の止水扉支持部を設けてなり、前記出入口の両側間床面に前記最下段の止水扉の下縁下降止水溝を凹設し、かつ、前記支軸に前記Ｌ形腕の後端ボス部の内面に設けた突起を摺動自在に係合する横溝及び縦溝を形成し、横溝に沿って前記腕及び前記最下段の止水扉を前記支軸を中心に開閉し、縦溝に沿って前記腕とその先端ボス部及び前記最下段の止水扉を昇降摺動自在とし、前記最下段の止水扉を出入口閉鎖状態において下降させることを特徴とする請求項１に記載の止水装置。
【発明の詳細な説明】
【技術分野】
【０００１】
本発明は、建造物の地下室や地下道等の入口通路に設けられ、水の浸入を防止する止水装置に関する。
【背景技術】
【０００２】
大雨や洪水時においては、建造物の地下室や地下道等の入口通路に対する水の浸入を迅速に防止する必要がある。そこで、入口通路を止水するための止水装置に係る各種発明がなされてきた（例えば特許文献１、２参照）。
【０００３】
特許文献１には、通路の一側に設けた止水用直立板の後向き面に軸受板を突設し、軸受板に通路の止水扉開閉用支軸を設けてなり、止水扉の一側端縁寄りの後向き面にＬ形腕を突設し、Ｌ形腕の後端ボス部を支軸に回動自在及び昇降摺動自在に枢支して、止水扉を支軸を中心に開閉自在とし、通路を閉じた止水扉の一側端縁の後向き面が止水用直立板の前向き面に対面し、通路の他側に、止水扉の他側端縁の後向き面に対面する開閉自在の止水直立板を設けてなる通路用止水装置が開示されている。
【０００４】
また特許文献２には、床面と左右の壁面とを有する出入口に設置される止水装置であって、少なくとも一方の壁面に設けられた支持手段と、支持手段に支持された止水扉と、を備え、支持手段は、支軸と、この支軸周りに設けられ、床面に対して止水扉の荷重がかからないように支持する支持部とを有し、止水扉は、壁面に沿うようにして配置される第１の位置にあるときに支持部に支持され、出入口を止水する第２の位置に達したときに、支持部に支持される支持領域から外れて第１の位置にあるときよりも下方に移動した状態となって、出入口を止水する止水装置が開示されている。
【先行技術文献】
【特許文献】
【０００５】
【特許文献１】特許第４２１４１８７号公報
【特許文献２】特開２０１２−３１６５８号公報
【発明の概要】
【発明が解決しようとする課題】
【０００６】
しかしながら、上記特許文献１や特許文献２に開示された止水装置は、一定の高さまでの水の浸入を止水するものとなっており、浸入しようとする水の多寡に応じて止水する高さを変更可能に構成することが望ましかった。
【０００７】
本発明は、上記の点に鑑みてなされたものであり、浸入しようとする水の多寡に応じて、止水する高さを簡易に変更できる止水装置を提供することを目的とする。
【課題を解決するための手段】
【０００８】
上記の目的を達成するために、本発明に係る止水装置は、出入口の両側に設けられる一対の止水扉支持部と、一端側が一方の前記止水扉支持部に設けられた支軸を中心に回動可能に支持されるとともに、他端側が他方の前記止水扉支持部に係止することによって、前記出入口を止水する各々独立した上下多段の止水扉と、を備え、前記一方の止水扉支持部は、前記上下多段の止水扉の各々を下方から支持する支持部であって、各止水扉が前記出入口を止水する位置に配置された場合に、当該一方の止水扉支持部に沿った位置に配置された場合に比べて低い高さで支持する支持部を有し、前記上下多段の止水扉の各々は、前記出入口を止水する位置に配置された場合に、前記一方の止水扉支持部に沿った位置に配置された場合に比べて下方に移動し、前記出入口の床面又は当該止水扉よりも一段下の止水扉と当接することによって、当該止水扉と、前記出入口の床面又は前記一段下の止水扉との間を止水することを特徴とする。
【０００９】
また、上記の目的を達成するために、前記止水装置は、前記出入口の両側間床面に設置され、最下段の前記止水扉と係合する係合部が形成された床面部を有し、前記上下多段の止水扉の各々には、隣り合う止水扉又は床面と係合する係合部が形成されたことを特徴とする。
【００１０】
また、上記の目的を達成するために、前記上下多段の止水扉の各々は、ヒンジを介して折畳可能に連結された２枚の止水板からなり、前記２枚の止水板が前記出入口の外側へ向けて略ハの字状に突出して開かれた状態で、他端側が前記他方の止水扉支持部に係止することによって、前記出入口を止水することを特徴とする。
【００１１】
また、上記の目的を達成するために、前記上下多段の止水扉の各々は、前記他方の止水扉支持部への係止面、隣り合う止水扉への当接面、当該止水扉を構成する２枚の止水板が互いに当接する面、及び、当該止水扉が最下段の止水扉である場合には前記床面との当接面に止水パッキングを貼着したことを特徴とする。
【００１２】
また、上記の目的を達成するために、前記上下多段の止水扉の各々の一側端縁寄りの後向き面にＬ形腕を突設し、該腕の後端ボス部を前記支軸に回動自在及び昇降自在に枢支して、該上下多段の止水扉がそれぞれ独立して前記支軸を中心に開閉自在とし、前記出入口を閉じた最下段の止水扉の一側端縁の後向き面が前記止水扉支持部の前向き面に対面し、かつ、前記出入口の他側に、前記最下段の止水扉の他側端縁の後向き面に対面する開閉自在の止水扉支持部を設けてなり、前記出入口の両側間床面に前記最下段の止水扉の下縁下降止水溝を凹設し、かつ、前記支軸に前記Ｌ形腕の後端ボス部の内面に設けた突起を摺動自在に係合する横溝及び縦溝を形成し、横溝に沿って前記腕及び前記最下段の止水扉を前記支軸を中心に開閉し、縦溝に沿って前記腕とその先端ボス部及び前記最下段の止水扉を昇降摺動自在とし、前記最下段の止水扉を出入口閉鎖状態において下降させることを特徴とする。
【発明の効果】
【００１３】
本発明によれば、浸入しようとする水の多寡に応じて、止水する高さを簡易に変更できる。
【図面の簡単な説明】
【００１４】
【図１】本発明の第一実施形態に係る止水装置の全体構成例を示す図である。
【図２】本発明の第一実施形態に係る止水装置の動作概要を示す図である。
【図３】本発明の第一実施形態に係る止水装置が設置される床面を示す図である。
【図４】本発明の第一実施形態に係る第１止水扉の詳細構造例を示す図である。
【図５】本発明の第一実施形態に係る第２止水扉の詳細構造例を示す図である。
【図６】本発明の第一実施形態に係る止水扉支持部の支持部及び支軸の詳細例を示す図である。
【図７】本発明の第一実施形態に係る止水扉支持部の支軸に取り付けられるブラケットの詳細例を示す図である。
【図８Ａ】本発明の第一実施形態に係る止水装置の支軸周りの動作を示す図である。
【図８Ｂ】本発明の第一実施形態に係る止水装置の支軸周りの動作を示す図である。
【図８Ｃ】本発明の第一実施形態に係る止水装置の支軸周りの動作を示す図である。
【図８Ｄ】本発明の第一実施形態に係る止水装置の支軸周りの動作を示す図である。
【図８Ｅ】本発明の第一実施形態に係る止水装置の支軸周りの動作を示す図である。
【図９】本発明の第二実施形態に係る第３止水扉及び第４止水扉の閉鎖状態背面図である。
【図１０】（イ）図は止水扉支持部に枢支した上昇状態第３止水扉の一部背面図、（ロ）図は下降状態第３止水扉の一部背面図である。
【図１１】（イ）図は閉鎖第３止水扉の正面図、（ロ）図は（イ）図Ａ−Ａ線による縦断側面図である。
【図１２】本発明の第二実施形態に係る止水扉支持部と各止水扉との全体斜視図である。
【図１３】（イ）図は第３止水扉を１８０度開いた状態の斜視図、（ロ）図は第３止水扉を閉じた状態の斜視図である。
【図１４】（イ）（ロ）図は第３止水扉を１８０度及び９０度開いた状態の一部横断平面図、（ハ）図は第３止水扉を閉じた状態の横断平面図、（二）図は支軸とボス部との分離状態を示す横断平面図である。
【図１５】（イ）図は第３止水扉の９０度回動状態の一部横断平面図、（ロ）図は（イ）図に示す第３止水扉を閉じた状態の一部横断平面図である。
【発明を実施するための形態】
【００１５】
本技術に係る止水装置は、出入口の両側に設けられる一対の止水扉支持部と、一端側が一方の止水扉支持部に設けられた支軸を中心に回動可能に支持されるとともに、他端側が他方の止水扉支持部に係止することによって、出入口を止水する各々独立した上下多段の止水扉と、を備えることにより、浸入しようとする水の多寡に応じて、止水する高さを簡易に変更するものである。以下、本技術の実施形態を説明する。
【００１６】
［第一の実施形態］
以下、本発明の第一の実施形態について説明する。
【００１７】
［止水装置の全体構成例］
図１は、本発明の第一実施形態に係る止水装置の全体構成例を示す図である。
【００１８】
図１に示す止水装置１は、壁面Ｗ１、Ｗ２を有する建造物の地下室や地下道等の出入口に設置される。この止水装置１は、多段（ここでは二段）重ねの第１止水扉１０、第２止水扉２０、及び、出入口の両側に設置される一対の止水扉支持部３０、止水扉支持部４０を有する構成である。
【００１９】
第１止水扉１０は、２枚の横長直方体状の止水板１０Ａ、１０Ｂから構成される。止水板１０Ａ、１０Ｂの詳細については図４を用いて後述する。これら止水板１０Ａ、１０Ｂは、背面において不図示のヒンジを介して折畳可能に連結される（図４参照）。一方の止水板１０Ｂは、当該止水板１０Ｂにボルト等によって取り付けられたブラケット１１、１２を介して、支軸３２に回動可能に取り付けられる。
【００２０】
これら止水板１０Ａ、１０Ｂには、使用者が把持するための取手部１３がボルト等によって取り付けられる。使用者は止水板１０Ａの取手部１３を左手で、止水板１０Ｂの取手部１３を右手で把持し、第１止水扉１０を適宜移動させることができる。また止水板１０Ａ、１０Ｂには、これら止水板１０Ａ、１０Ｂを前面側から固定するための止め金具１４が取り付けられている。
【００２１】
第２止水扉２０は、第１止水扉１０の上部に設けられる止水用の扉である。この第２止水扉２０は、第１止水扉１０と同様に、２枚の横長直方体状の止水板２０Ａ、２０Ｂから構成される。止水板２０Ａ、２０Ｂの詳細については図５を用いて後述する。これら止水板２０Ａ、２０Ｂは、背面において不図示のヒンジを介して折畳可能に連結される（図５参照）。一方の止水板２０Ｂは、当該止水板２０Ｂにボルト等によって取り付けられたブラケット２１、２２を介して、支軸３２に回動可能に取り付けられる。
【００２２】
これら止水板２０Ａ、２０Ｂには、使用者が把持するための取手部２３がボルト等によって取り付けられる。使用者は止水板２０Ａの取手部２３を左手で、止水板２０Ｂの取手部２３を右手で把持し、第２止水扉２０を適宜移動させることができる。また止水板２０Ａ、２０Ｂには、これら止水板２０Ａ、２０Ｂを前面側から固定するための止め金具２４が取り付けられている。
【００２３】
止水扉支持部３０は、壁面Ｗ１に沿って設置され、第１止水扉１０及び第２止水扉２０一端側を支持する。この止水扉支持部３０の壁面Ｗ１側の前面には、支持部３１Ａ〜３１Ｅが突設されている。またこれら支持部３１Ａ〜３０Ｅ及び前述のブラケット２１、２２、１１、１２を貫通するよう設置される支軸３２を有する。なお、支持部３１Ａ〜３０Ｅのうちの支持部３１Ｂ〜３１Ｅは、それぞれブラケット２１、２２、１１、１２を下方から支持する支持部として機能する。これら支持部３１Ａ〜３１Ｅ及び支軸３２の詳細については後述する。
【００２４】
止水扉支持部４０は、壁面Ｗ２に沿って設置され、第１止水扉１０及び第２止水扉２０の他端側を支持する。この止水扉支持部４０は、第１止水扉１０及び第２止水扉２０が当接可能な扉受面４１、４２を有する。図１に示す扉受面４１、４２は互いに略垂直な面として形成されている。
【００２５】
以上のような止水装置１において、第１止水扉１０と第２止水扉２０とは各々独立して動作し、一端側が止水扉支持部３０に設けられた支軸３２を中心に回動可能に支持されるとともに、他端側が止水扉支持部４０に係止することによって、出入口を止水する。
【００２６】
図２は、本発明の第一実施形態に係る止水装置の動作概要を示す図である。図２では、図１に示す止水装置１を上方から見た図を示している。
【００２７】
図２（ａ）では、出入口を開放する場合の第１止水扉１０の位置（以下、「第１の位置」ともいう）を示している。一方、図２（ｂ）では、出入口を止水する場合の第１止水扉１０の位置（以下、「第２の位置」ともいう）を示している。なお、これら図２（ａ）、（ｂ）では第１止水扉１０のみを示しているが、図示しない第２止水扉２０についても同様であるものとする。
【００２８】
止水装置１の動作の説明に先立ち、止水装置１の構成について補足説明する。
【００２９】
図２（ａ）、（ｂ）に示すように、止水扉支持部３０の前面の入口通路側には、略Ｖ字形の切欠部３３が形成されている。切欠部３３は、止水板１０Ｂの背面１６ａ及び側面１６ｂに対応する直交した２つの内面３３ａ、３３ｂを有する。そして、支軸３２周りに回動した止水板１０Ｂは切欠部３３に係止することにより、止水板１０Ｂと止水扉支持部３０との間からの水の浸入を防止する。
【００３０】
また図２（ａ）、（ｂ）に示すように、止水板１０Ａの背面端部、すなわち止水扉支持部４０への係止面には、ゴム等による止水パッキング５が貼着されている。この止水パッキング５が止水扉支持部４０の扉受面４１に当接することで、止水板１０Ａと止水扉支持部４０の間からの水の浸入を防止する。また、止水板１０Ｂの止水板１０Ａ側の側面、すなわち２枚の止水板１０Ａ、１０Ｂが当接する面にも、止水パッキング５が貼着されており、止水板１０Ａと止水板１０Ｂの間からの水の浸入を防止する。
【００３１】
以下、止水装置１の動作について説明する。  
【００３２】
図２（ａ）に示すように、出入口を開放する場合には、ブラケット１１、１２を支軸３２周りに反時計回りに回動させて、ブラケット１１、１２を止水扉支持部３０（又は、壁面Ｗ１）に沿った方向に配置する。また止水板１０Ａが止水板１０Ｂに対して略平行になるように、ヒンジ１５を介して止水板１０Ａを折り畳む。このようにして、止水扉支持部３０、４０の間の出入口を開放する。
【００３３】
一方、図２（ｂ）に示すように、出入口を止水する場合には、ブラケット１１、１２を支軸３２周りに時計回りに回動させるとともに、止水板１０Ａ、１０Ｂが略ハの字状に開かれた状態にする。その後、止水板１０Ａの背面端部に貼着された止水パッキング５と止水板１０Ａの側面を、それぞれ止水扉支持部４０の扉受面４１、４２に当接させた状態にすることにより、第１止水扉１０の他端側が止水扉支持部４０に係止する。その後、止水板１０Ａ、１０Ｂが出入口の外側に向けて略ハの字状に突出して開かれるよう配置する。最後に、止め金具１４によって止水板１０Ａ、１０Ｂを前面側から固定することにより、止水板１０Ａと止水板１０Ｂとで止水パッキング５を挟持する。
【００３４】
以上のように設置された止水装置１は、出入口を塞ぐことによって、出入口において図中下方向から上方向、すなわち通路外部から通路内部へ流れる水の浸入を防止する。
【００３５】
なお、図２（ｂ）に示すように、止水板１０Ａ、１０Ｂが略ハの字状に開かれた状態で、且つ、出入口の外側に向けて突出するように配置することによって、１枚の平面状の止水板を水の流れに略垂直に配置した場合に比べて、通路外部からの水圧に対する強度が強くなる。
【００３６】
図３は、本発明の第一実施形態に係る止水装置が設置される床面を示す図である。
【００３７】
図３に示すように、出入口の両側間床面には、出入口の外側から内側に向かって略ハの字状で、且つ、内側に例えば２ｃｍだけ突出した凸部（係合部）５１が形成された床面部５０が設置される。この凸部５１は第１止水扉１０の下部（図４参照）と係合する係合部であり、水の浸入を効果的に防止するためのものである。
【００３８】
図４は、本発明の第一実施形態に係る第１止水扉の詳細構造例を示す図である。図４（ａ）では第１止水扉１０の前面を示している。図４（ｂ）では第１止水扉１０の背面を示している。
【００３９】
第１止水扉１０は、前述のように２枚の止水板１０Ａ、１０Ｂから構成される。止水板１０Ａ、１０Ｂは、例えばステンレス等の金属板である。これら止水板１０Ａ、１０Ｂは、図４（ｂ）に示すように、背面において２つのヒンジ１５を介して折畳可能に連結されている。
【００４０】
これら止水板１０Ａ、１０Ｂの上部には、前面側から背面側に向かって例えば２ｃｍだけ突出した凸部（係合部）１０１が形成されており、この凸部１０１の前面には止水パッキング５が全面に亘って貼着される。また止水板１０Ａ、１０Ｂの下部には、背面側から前面側に向かって例えば２ｃｍだけ突出した凸部（係合部）１０２が形成されており、この凸部１０２が形成されていない部分の上面には、止水パッキング５が全面に亘って貼着される。また止水板１０Ｂの止水板１０Ａ側の側面（図４（ａ）参照）及び止水板１０Ａの背面端部（図４（ｂ）参照）にも、止水パッキング５が貼着される。
【００４１】
図５は、本発明の第一実施形態に係る第２止水扉の詳細構造例を示す図である。図５（ａ）では第２止水扉２０の前面を示している。図５（ｂ）では第２止水扉２０の背面を示している。
【００４２】
第２止水扉２０は、前述のように２枚の止水板２０Ａ、２０Ｂから構成される。止水板２０Ａ、２０Ｂは、例えばステンレス等の金属板である。これら止水板２０Ａ、２０Ｂは、図５（ｂ）に示すように、背面において２つのヒンジ２５を介して折畳可能に連結されている。
【００４３】
これら止水板２０Ａ、２０Ｂは、前述の止水板１０Ａ、１０Ｂと異なり、当該止水板２０Ａ、２０Ｂの下部にのみ、背面側から前面側に向かって例えば２ｃｍだけ突出した凸部（係合部）２０２が形成されている。そして、止水板２０Ａ、２０Ｂの下部において凸部２０２が形成されていない部分の上面には、止水パッキング５が全面に亘って貼着される。また止水板２０Ｂの止水板２０Ａ側の側面（図５（ａ）参照）及び止水板２０Ａの背面端部（図５（ｂ）参照）にも、止水パッキング５が貼着される。
【００４４】
続いて、第１止水扉１０又は第２止水扉２０と、止水扉支持部３０との接続構成について説明する。
【００４５】
図６は、本発明の第一実施形態に係る止水扉支持部の支持部及び支軸の詳細例を示す図である。図６（ａ）では、支持部３１Ａ〜３１Ｅ及び支軸３２の斜視図を示している。図６（ｂ）では、支持部３１Ａ〜３１Ｅの各々を止水扉支持部３０側から見た図を示している。
【００４６】
支持部３１Ａ〜３１Ｅは、いずれも前面の角部が面取りされた金属部材である。支持部３１Ａは、支軸３２が貫通するための貫通穴３１１が形成された平板状の部材である。
【００４７】
支持部３１Ｂは、支軸３２が貫通するための貫通穴３２１が形成されるとともに、上部前面側が半円筒状に構成された半円筒部３２２と、半円筒部３２１の下部において止水扉支持部３０と連結するための二段重ねの平板状の連結部３２３とからなる部材である。
【００４８】
支持部３１Ｃは、支軸３２が貫通するための貫通穴３３１が形成された平板状の部材である。
【００４９】
支持部３１Ｄは、支軸３２が貫通するための貫通穴３４１が形成されるとともに、上部前面側が半円筒状に構成された半円筒部３４２と、半円筒部３４２の下部において止水扉支持部３０と連結するための二段重ねの平板状の連結部３４３とからなる部材である。
【００５０】
支持部３１Ｅは、支軸３２が貫通するための貫通穴３５１が形成されるとともに、上部が円筒状に構成された円筒部３５２と、円筒部３５２の下部において止水扉支持部３０と連結するための連結部３５３とからなる部材である。
【００５１】
支軸３２は、止水扉支持部３０の前面から一定距離だけ離間した位置において上下方向に立設される。この支軸３２は支持部３１Ａ〜３１Ｅを貫通するとともに、これら支持部３１Ａ〜３１Ｅを介して止水扉支持部３０に取り付けられる。
【００５２】
図７は、本発明の第一実施形態に係る止水扉支持部の支軸に取り付けられるブラケットの詳細例を示す図である。
【００５３】
図７（ａ）では、第１止水扉１０の止水板１０Ｂにボルト等によって取り付けられたブラケット１１、１２の斜視図を示している。図７（ｂ）では、止水板１０Ｂ及びブラケット１１、１２を側方から見た図を示している。なお、第２止水扉２０の止水板２０Ｂに取り付けられたブラケット２１、２２についても同様であるものとする。
【００５４】
ブラケット１１は、止水板１０Ｂの前面に取り付けられる長板状の取付部１１１と、取付部１１１の一端側において当該取付部１１１と略垂直方向に形成された略円筒状の円筒部１１２と、円筒部１１２の下部において背面側が半円筒状に構成された半円筒部１１３とからなる。円筒部１１２と半円筒部１１３には、支軸３２が貫通するための貫通穴１１４が形成されている。
【００５５】
ブラケット１２は、止水板１０Ｂの前面に取り付けられる長板状の取付部１２１と、取付部１２１の一端側において当該取付部１２１と略垂直方向に形成された略円筒状の円筒部１２２とからなる。円筒部１２２には、支軸３２が貫通するための貫通穴１２３が形成されている。
【００５６】
以上、図６及び図７を用いて支持部３１Ａ〜３１Ｅ及びブラケット１１、１２、２１、２２について説明してきた。続いて、止水装置１を使用時のこれら支持部３１Ａ〜３１Ｅ及びブラケット１１、１２、２１、２２の動作について図８及び図９を用いて説明する。
【００５７】
図８Ａ〜図８Ｅは、本発明の第一実施形態に係る止水装置の支軸周りの動作を示す図である。これら図８Ａ〜図８Ｅを用いて、第１止水扉１０及び第２止水扉２０の支軸３２周りの動作について説明する。
【００５８】
なお、図８Ａ〜図８Ｅでは、説明の便宜上、ブラケット１１、１２が取り付けられる第１止水扉１０やブラケット２１、２２が取り付けられる第２止水扉２０を図示していない。
【００５９】
まず図８Ａでは、初期状態として、第１止水扉１０及び第２止水扉２０（いずれも不図示）が第１の位置（図２（ａ）参照）に配置されたときの様子を示している。この場合、図８Ａに示すように、ブラケット１１、１２、２１、２２は、いずれも止水扉支持部３０に沿った位置に配置される。
【００６０】
また、ブラケット１１の半円筒部１１３の下面１１３Ａは、支持部３１Ｄの半円筒部３４２の上面３４２Ａによって支持されている。同様に、ブラケット２１の半円筒部２１３の下面２１３Ａは、支持部３１Ｂの半円筒部３２２の上面３２２Ａによって支持されている。
【００６１】
ここで、ブラケット１１、１２（ブラケット１１、１２に取り付けられた第１止水扉１０）を支軸３２周りに時計回りに回動させて、第１止水扉１０を第２の位置（図２（ｂ）参照）、すなわち出入口を止水する位置に配置する。そうすると、図８Ｂに示すように、ブラケット１１の半円筒部１１３が支持部３１Ｄの半円筒部３４２と嵌合可能になる。すなわちブラケット１１、１２が支軸３２に沿って上下に昇降可能になる。
【００６２】
そこで、使用者が第１止水扉１０に取り付けられた取手部１３を離すと、ブラケット１１、１２が支軸３２に沿って下方に降下する。そして、図８Ｃに示すように、ブラケット１１の半円筒部１１３の下面１１３Ａが、支持部３１Ｄの連結部３４３の上面３４３Ａに当接するとともに、ブラケット１１の円筒部１１２の下面１１２Ａが、支持部３１Ｄの半円筒部３４２の上面３４２Ａに当接する。またこれに伴い、ブラケット１２の円筒部１２２の下面１２２Ａが、支持部３１Ｅの円筒部３５２の上面３５２Ａに当接する。
【００６３】
またこの際、図４（ａ）に示す第１止水扉１０は、図３に示す床面に当接する。具体的には、第１止水扉１０の凸部１０２は、床面に形成された床面部５０に係合する。そして、第１止水扉１０の下部に貼着された止水パッキング５は、第１止水扉１０の自重により、第１止水扉１０と床面部５０の凸部５１とによって挟持される。これにより、第１止水扉１０と床面部５０との間からの水の浸入を確実に防ぐことができる。
【００６４】
なお、第１止水扉１０を元の第１の位置に戻す場合には、図８Ｃに示す配置の第１止水扉１０を一旦上方に移動し、図８Ｂに示す配置になったところで、支軸３２を中心に反時計回りに回動させて第１の位置に配置する。
【００６５】
次に、ブラケット２１、２２（ブラケット２１、２２に取り付けられた第２止水扉２０）を支軸３２周りに時計回りに回動させて、第２止水扉２０を第２の位置（図２（ｂ）参照）に配置する。そうすると、図８Ｄに示すように、ブラケット２１の半円筒部２１３が支持部３１Ｂの半円筒部３２２と嵌合可能になる。すなわちブラケット２１、２２が支軸３２に沿って上下に昇降可能になる。
【００６６】
そこで、使用者が第２止水扉２０に取り付けられた取手部２３を離すと、ブラケット２１、２２が支軸３２に沿って下方に降下する。そして、図８Ｅに示すように、ブラケット２１の半円筒部２１３の下面２１３Ａが、支持部３１Ｂの連結部３２３の上面３２３Ａに当接するとともに、ブラケット２１の円筒部２１２の下面２１２が、支持部３１Ｂの半円筒部３２２の上面３２２Ａに当接する。またこれに伴い、ブラケット２２の円筒部２２２の下面２２２Ａが、支持部３１Ｃの上面３３２Ａに当接する。
【００６７】
またこの際、図５（ａ）に示す第２止水扉２０は、隣り合う第１止水扉１０に当接する。具体的には、第２止水扉２０の凸部２０２は、図４（ａ）に示す第１止水扉１０の凸部１０１に係合する。そして、第２止水扉２０の下部に貼着された止水パッキング５及び第１止水扉１０の凸部１０１の前面に貼着された止水パッキング５は、第２止水扉２０の自重により、第１止水扉１０と第２止水扉２０とによって挟持される。これにより、第１止水扉１０と第２止水扉２０との間からの水の浸入を確実に防ぐことができる。
【００６８】
なお、第２止水扉２０を元の第１の位置に戻す場合には、図８Ｅに示す配置の第２止水扉２０を一旦上方に移動し、図８Ｄに示す配置になったところで、支軸３２を中心に反時計回りに回動させて第１の位置に配置する。
【００６９】
以上説明してきた本発明の第一実施形態によれば、浸入しようとする水の多寡に応じて、止水する高さを簡易に変更できる。具体的には、第１止水扉１０で止水可能である場合には、第１止水扉１０のみによって出入口を塞ぎ、第１止水扉１０のみで止水不可能な量の水が流入してくる場合には、第１止水扉１０及び第２止水扉２０を用いて出入口を塞ぐことができる。なお、本発明の第一実施形態では、止水装置１が上下二段の止水扉を備える場合を例に説明してきたが、三段以上の上下多段の止水扉を備える構成にしてもよい。
【００７０】
［第二の実施形態］
以下、本発明の第二の実施形態について説明する。
【００７１】
出入口の両側には側壁Ｗ３、Ｗ４があり、一側壁Ｗ３にはコ形形鋼材ｐを立設し、その後側板を止水扉支持部（止水用直立板）２００とする。また他側壁Ｗ４にはコ形形鋼材ｐ’を立設し、その後止水扉支持部２００’をヒンジ２００ａ、２００ａにより後側に開き、出入口の方向と直角方向に閉じてその位置を上端板２００ｂに設けたストッパ２００ｂ’及び抗孔２００ｃ’に挿入した止め杭２００ｃによって保持する（図９、図１２）。
【００７２】
一側壁Ｗ３の上方形鋼材ｐの後側止水扉支持部２００の後向き面２００”に８個の軸受板３００を上下に突設し、該軸受板３００に出入口の第３止水扉４０１第４止水扉４０２開閉用支軸５００を設ける。
【００７３】
上記支軸５００の外面上端部には図１４（イ）（ロ）（ハ）（二）図１５（イ）（ロ）図に示すように横溝５００’（水平溝）を円弧状に形成し、かつ縦溝５００”（直立溝）を横溝５００’に連通して形成する。なお、図１４及び図１５では、第３止水扉４０１のみを図示しているが、第４止水扉４０２についても同様であるものとする。
【００７４】
第３止水扉４０１の一側端縁４０１’寄りの後向き面４０１”には取付金具６００’を溶着し、該取付金具６００’にＬ形腕６００の後端ボス部７００を上記支軸５００に回動自在及び昇降摺動自在に嵌合枢支する。同様に、第４止水扉４０２の一側端縁４０２’寄りの後向き面４０２”には取付金具６００’を溶着し、該取付金具６００’にＬ形腕６００の後端ボス部７００を上記支軸５００に回動自在及び昇降摺動自在に嵌合枢支する。
【００７５】
そして上記ボス部７００の内面に設けた突起７００’を上記横溝５００’に水平方向に往復摺動自在に係合し、かつ該ボス部７００を回動させて上記突起７００’を上記縦溝５００”に沿って下降させ、さらに上昇させることができる。
【００７６】
第３止水扉４０１のみを用いて止水する場合には、上記他側壁Ｗ４に立設したコ形形鋼材ｐ’の後側止水扉支持部２００’をヒンジ２００ａ、２００ａを中心に後側に回動して開き、上記第３止水扉４０１の他側端縁４０１ａを該コ形形鋼材ｐ’内に挿入し、その状態で上記後側止水扉支持部２００’を閉じ、さらに開閉自在の上端板２００ｂを閉じ、該上端板２００ｂの後縁に下向きに突設したストッパ２００ｂ’を上記止水扉支持部２００’の上縁に係合して（図９、図１２）、該止水扉支持部２００’を前向き及び後向きに固定し、その前向き面によって第３止水扉４０１の他側端縁４０１ａの後向き面と対接支持することができる（図９にその状態を示す）。一方、第３止水扉４０１及び第４止水扉４０２の両方を用いて止水する場合には、上記他側壁Ｗ４に立設したコ形形鋼材ｐ’の後側止水扉支持部２００’をヒンジ２００ａ、２００ａを中心に後側に回動して開き、上記第３止水扉４０１の他側端縁４０１ａ及び第４止水扉４０２の他側端縁４０２ａを該コ形形鋼材ｐ’内に挿入し、その後上記と同様の動作を行う。
【００７７】
第３止水扉４０１の上記閉鎖状態では一側壁Ｗ３に設けた止水扉支持部２００の前向き面に該第３止水扉４０１の一側端縁４０１’の後向き面４０１”が対接する（図１３（ロ）図、図１４（ハ）図にその状態を示す）。同様に、第４止水扉４０２の閉鎖状態では一側壁Ｗ３に設けた止水扉支持部２００の前向き面に該第４止水扉４０２の一側端縁４０２’の後向き面４０２”が対接する（図示省略）。
【００７８】
両側壁Ｗ３、Ｗ４間の床面ｆは図１２に示すように出入口の床面と同一水準であり、又は図９、図１１（イ）（ロ）図に示すように両止水扉支持部２００、２００’の前向き面に沿って両コ形形鋼材ｐ、ｐ’間に通路を横断して第３止水扉４０１の下縁下降止水溝Ｓを凹設する。
【００７９】
上記第３止水扉４０１の両側端縁４０１’、４０１ａの後向き面４０１”、４０１”、下端縁４０１ｂの床面４０１ｂ’及び後ろ向き面にゴム等による止水パッキング８００を貼着し、止水扉支持部２００、２００’の前向き面に貼着したパッキング８００’と対接させる。又床面４０１ｂ’のパッキング８００を床面ｆ又は上記止水溝Ｓの底面に対接させる（図１１（ロ）図、図１２、図１４（イ）（ロ）（ハ）図、図１５（イ）（ロ）図）。
【００８０】
上記第３止水扉４０１の閉鎖時において該第３止水扉４０１の他側端縁４０１ａ及び下端縁４０１ｂ寄りの前向き面に縦方向から横方向に回動自在のハンドル９００を軸支し、ハンドル９００の他端にカムローラ９００’を設けて、カムハンドルを形成し、ハンドル９００を図１１（イ）図仮想線位置から実線位置に支軸１０００を中心に回動させることによってカムローラ９００’を他側のコ形形鋼材ｐ’内に進入し、該形鋼材ｐ’の内部に後向きに設けた固定案内カム９００”と上記カムローラ９００’との相互作用によって第３止水扉４０１の他側端縁４０１ａ寄り後向き面のパッキング８００を他側の止水扉支持部２００’に圧着することができる（図１１（ロ）図）。
【００８１】
又上記下端縁４０１ｂ寄りの前向き面に上述のように軸支１０００したハンドル９００を仮想線位置から実線位置に回動させるとカムローラ９００’が上記止水溝Ｓ内に後向き面Ｓ’に案内されて該下端縁４０１ｂの後向き面を止水溝Ｓ内の前向き面Ｓ”にパッキング８００を介して圧着させることができる。
【００８２】
上記Ｌ形腕６００の後端と上記ボス部７００の取付位置を図１３、図１４に示す場合と、図１５に示す場合とでは軸受板３００、３００の方向が異なり、図１３では後向きであり、図１４では横向きであり、第３止水扉４０１の開き角が図１３、図１４では１８０度、図１５では９０度である。
【００８３】
上記第３止水扉４０１は常時上下の支軸５００、５００によって開閉自在に枢支され、図１３（イ）図、図１４（イ）図に示すように１８０度に開かれ又は図１５（イ）図に示すように９０度に開かれて出入口上を人・車等が通行する。
【００８４】
その際支軸５００、５００の上端部に形成した円弧状横溝５００’内に上記ボス部７００内の突起７００’が摺動自在に係合し、この溝５００’に沿って第３止水扉４０１が出入口を左右に横断又は遮断するまで回動させる。
【００８５】
その際出入口の他側の止水扉支持部２００’は他側壁Ｗ４と平行に手動で開かれるから第３止水扉４０１の他側端縁４０１ａはコ形形鋼材ｐ’内に進入し、進入後上記止水扉支持部２００’を閉じることができる。
【００８６】
上記第３止水扉４０１を回動させて上述のように出入口を閉じると、上記支軸５００、５００のそれぞれ上端の横溝５００’に連通する縦溝５００”に上記ボス部７００の自重により該縦溝５００”を下降し、第３止水扉４０１の下端縁４０１ｂの底面４０１ｂ’に貼着したパッキング８００が底面ｆ又は止水溝Ｓの底面に圧着する。
【００８７】
又この閉鎖状態で第３止水扉４０１の前向き面にある上記ハンドル９００、９００及び９００、９００を回動させることによってカムローラ９００’がそれぞれコ形形鋼材ｐ内及び上記止水溝Ｓ内に入り、上記第３止水扉４０１を止水パッキング８００を介して一側端縁４０１’及び下端縁４０１ｂの後向き面を止水扉支持部２００及び止水溝Ｓ内の前向き面に圧着させることができる。
【００８８】
なお、第４止水扉４０２を閉鎖する場合の動作は、第３止水扉４０１の下面全面に亘って貼着された止水パッキング８００と、第４止水扉４０２の上面全面に亘って貼着された止水パッキング８００と（図１２参照）を互いに圧着させる点を除いて、第３止水扉４０１を閉鎖する場合の動作と同様であるとしてここでは説明を省略する。
【００８９】
上述のようにして地下室等の出入口を第３止水扉４０１及び第４止水扉４０２によって水密に閉鎖し、出入口を止水又は遮水することができる。水が引いた後は上述の動作と逆の動作によって第４止水扉４０２、第３止水扉４０１の順に１８０度又は９０度開き出入口を確保することができる。
【００９０】
以上説明してきた本発明の第二実施形態によれば、浸入しようとする水の多寡に応じて、止水する高さを簡易に変更できる。具体的には、第３止水扉４０１で止水可能である場合には、第３止水扉４０１のみによって出入口を塞ぎ、第３止水扉４０１のみで止水不可能な量の水が流入してくる場合には、第３止水扉４０１及び第４止水扉４０２を用いて出入口を塞ぐことができる。なお、本発明の第二実施形態では、止水装置が上下二段の止水扉を備える場合を例に説明してきたが、三段以上の上下多段の止水扉を備える構成にしてもよい。
【００９１】
以上、本発明の実施形態について説明したが、上記実施形態は本発明の適用例の一つを示したものであり、本発明の技術的範囲を上記実施形態の具体的構成に限定する趣旨ではない。本発明の要旨を逸脱しない範囲において種々変更可能である。
【符号の説明】
【００９２】
１  止水装置
５  止水パッキング
１０  第１止水扉
１０Ａ、１０Ｂ  止水板
２０  第２止水扉
２０Ａ、２０Ｂ  止水板
３０  止水扉支持部
３１Ａ〜３１Ｅ  支持部
３２  支軸
４０  止水扉支持部
５０  床面部
【図１】
2014047502.tif 000003
【図２】
2014047502.tif 000004
【図３】
2014047502.tif 000005
【図４】
2014047502.tif 000006
【図５】
2014047502.tif 000007
【図６】
2014047502.tif 000008
【図７】
2014047502.tif 000009
【図８Ａ】
2014047502.tif 000010
【図８Ｂ】
2014047502.tif 000011
【図８Ｃ】
2014047502.tif 000012
【図８Ｄ】
2014047502.tif 000013
【図８Ｅ】
2014047502.tif 000014
【図９】
2014047502.tif 000015
【図１０】
2014047502.tif 000016
【図１１】
2014047502.tif 000017
【図１２】
2014047502.tif 000018
【図１３】
2014047502.tif 000019
【図１４】
2014047502.tif 000020
【図１５】
2014047502.tif 000021